(57)【要約】【課題】本発明は、原子力容器の管台と、管台に接続する出、入口管との溶接部の切削を、気中状態で、作業員が安全に、迅速かつ容易に行い得る原子炉容器の管台内面の切削方法、および、気中状態で該溶接部の切削を行い得る原子炉容器の管台内面の切削装置を提案することを目的とする。【解決手段】  原子炉容器１の側面に設けられている管台２と、同管台２に接続されている出、入口管２ａとの溶接部ｍを切削する原子力容器の管台内面の切削方法において、少なくとも管台２の下方位置まで冷却水を排水した状態の原子力容器１内に、管台２の位置に合わせた開口部３ａを側面に有す架台３を設置し、次に、前記開口部３ａから管台２内に円筒状の遮蔽体（４、５）を挿入設置した後、管台２内に切削装置６を挿入して前記溶接部ｍを切削することを特徴とするものである。【選択図】図３
2006349596.tif 000002
【特許請求の範囲】
【請求項１】
原子炉容器の側面に設けられている管台と、同管台に接続されている出、入口管との内周の溶接部を切削する原子力容器の管台内面の切削方法において、少なくとも管台の下方位置まで冷却水を排水した状態の原子力容器内に、管台の位置に合わせた開口部を側面に有す架台を設置し、次に、前記開口部から管台内に円筒状の遮蔽体を挿入設置した後、管台内に切削装置を挿入して前記溶接部を切削することを特徴とする原子力容器の管台内面の切削方法。
【請求項２】
前記切削装置は切粉回収ノズルを装備しており、常時切粉を回収しながら切削を行うことを特徴とする請求項１に記載の原子力容器の管台内面の切削方法。
【請求項３】
前記請求項１又は請求項２に記載の切削方法により前記溶接部の内周を切削した後、切削部に所定の溶接肉盛りを施工し、次に、前記切削装置により仕上げ切削を行うことを特徴とする原子力容器の管台内面の切削方法。
【請求項４】
原子炉容器の側面に設けられている管台と、同管台に接続されている出、入口管との内周の溶接部を切削する原子力容器の管台内面の切削装置において、切削を行うカッタを収納すると共にカッタを囲んで管台内周面に沿う切粉回収ノズルを具えるヘッド部と、前記ヘッド部を管台内周に沿って軸回動する駆動部を有する胴部と、前記ヘッド部内の切粉を吸引する切粉回収用ラインとを具えたことを特徴とする原子炉容器の管台内面の切削装置。
【発明の詳細な説明】
【技術分野】
【０００１】
本発明は、既存するＰＷＲ型原子力発電所の原子力圧力容器の出、入口管台内面の切削方法および切削装置に関するものである。
【背景技術】
【０００２】
原子力発電所ではその安全性や信頼性を確保するために定期的に、配管や圧力容器の検査が行われており、同検査には超音波を用いた非破壊検査（以下ＵＴ：Ｕｌｔｒａｓｏｎｉｃ  Ｔｅｓｔｉｎｇ）が適用されている。
しかし、検査の結果、原子炉容器の出、入口管の管台の溶接部に、経年変化によるクラックなどの表面欠陥が判明しても、これまで、それら欠陥箇所を切削、ひいては補修する具体的方法および装置は提案されておらず、表面欠陥を補修することはできなかった。
但し、沸騰水型原子炉容器のノズルを修理する方法として、ノズルの安全端部が第１の溶接部によってノズル胴体に結合され、第１の断熱用スリーブがノズル胴体の第１の中孔の内側に配置されていて、その１端が安全端部の第２の中孔と締りばめになっているノズルで、第１及び第２の中孔の間の締りばめ部における漏れを減らすようにノズルを修理するものは、提案されている（特許文献１参照方）。
【特許文献１】特開平７−１２９７８号公報（図１）
【発明の開示】
【発明が解決しようとする課題】
【０００３】
本発明は、原子力容器の管台と、管台に接続する出、入口管との溶接部の切削を、気中状態で、作業員が安全に、迅速かつ容易に行い得る原子炉容器の管台内面の切削方法、および、気中状態で該溶接部の切削を行い得る原子炉容器の管台内面の切削装置を提案することを目的とする。
【課題を解決するための手段】
【０００４】
本発明は上記課題を解決するために、以下の（１）〜（４）の手段を採用する。
（１）第１の手段は、原子炉容器の側面に設けられている管台と、同管台に接続されている出、入口管との内周の溶接部を切削する原子力容器の管台内面の切削方法において、少なくとも管台の下方位置まで冷却水を排水した状態の原子力容器内に、管台の位置に合わせた開口部を側面に有す架台を設置し、次に、前記開口部から管台内に円筒状の遮蔽体を挿入設置した後、管台内に切削装置を挿入して前記溶接部を切削することを特徴とするものである。
（２）第２の手段は前記手段（１）に係る原子力容器の管台内面の切削方法において、前記切削装置は切粉回収ノズルを装備しており、常時切粉を回収しながら切削を行うことを特徴とするものである。
（３）第３の手段は前記手段（１）又は（２）に記載の切削方法により前記溶接部の内周を切削した後、切削部に所定の溶接肉盛りを施工し、次に、前記切削装置により仕上げ切削を行うことを特徴とするものである。
（４）第４の手段は、原子炉容器の側面に設けられている管台と、同管台に接続されている出、入口管との内周の溶接部を切削する原子力容器の管台内面の切削装置において、切削を行うカッタを収納すると共にカッタを囲んで管台内周面に沿う切粉回収ノズルを具えるヘッド部と、前記ヘッド部を管台内周に沿って軸回動する駆動部を有する胴部と、前記ヘッド部内の切粉を吸引する切粉回収用ラインとを具えたことを特徴とするものである。
【発明の効果】
【０００５】
第１の手段よりなる請求項１に記載の原子力容器の管台内面の切削方法によれば、これまで提案されていなかった原子炉容器の管台溶接部の内周の切削施工が、初めて達成できる。また、原子炉容器内に架台を設置することにより、切削装置の管台内への搬入がクレーン操作や作業者により安全容易に行うことができる。また、遮蔽体を管台内に挿入することで、開口部などから洩れる放射線の遮蔽および開口部隙間からの異物の飛散落下防止が図れると共に、切削装置の管台内へのスライド案内が容易に行い得る。
第２の手段よりなる請求項２に記載の原子力容器の管台内面の切削方法によれば、上記手段（１）の作用効果を奏すると共に、切削時の切粉を系外に排出できるので、原子炉容器内の環境品質が保たれる。
第３の手段よりなる請求項３に記載の原子力容器の管台内面の切削方法によれば、上記手段（１）又は（２）の作用効果を奏すると共に、管台溶接部の補修が行い得、原子炉の長期安定稼動が達成できる。
第４の手段よりなる請求項４に記載の原子炉容器の管台内面の切削装置によれば、これまで提案されていなかった原子炉容器の管台溶接部の内周の切削施工が、初めて行い得る。また、駆動部によりヘッド部を軸回動させることにより、切削対象部である管台溶接部の内周面の切削が連続的に行い得、管台溶接部の切削、ひいては、管台溶接部の補修を迅速に行い得る。また、切削時に発生する切粉は切粉回収ノズルにより捕集されるので、切粉の飛散が防止でき、原子炉容器内の環境品質を損なうことなく、切削施工が行い得る。
【発明を実施するための最良の形態】
【０００６】
図１ないし図１０は本発明に係る原子炉容器の管台内面の切削方法および装置の実施例図であり、図１は原子力容器に架台を設置した状態を示す断面図、図２の（ａ）は図１のＡ部の内面切削時の拡大説明図、（ｂ）はクラッディング時の拡大説明図、（ｃ）は内面仕上げ時の拡大説明図である。図３は管台内に切削装置を挿入した状態を示す斜視図である。図４は管台内に切削装置を設置した状態の作業概念図、図５は検査装置の断面図、図６は図５のＰ−Ｐ矢視図、図７は図６のＱ−Ｑ矢視図、図８は図７のＲ−Ｒ矢視図、図９は図６のＳ−Ｓ矢視図、図１０は図６のＴ−Ｔ矢視図である。なお、図１は断面図であるが、主要部分のみをハッチングしている。
図１ないし図３により、本実施例に係る出、入口管台内面切削装置（以下切削装置と称する）を用いた作業概要を説明する。図１ないし図３に於いて、原子炉容器（１）の側面外周方向には内側から貫通する中空円筒状の複数個の管台（２）が設けられていて、各管台（２）には出、入口管（２ａ）が溶接により接続されている。本実施例に係る切削装置（６）はそれらの溶接部（ｍ）の内面を切削するものである。
【０００７】
溶接部（ａ）を切削補修する場合には、次の手順で行う。
Ａ．図１に示すように、原子炉容器（１）内の冷却水（１ａ）は、少なくとも管台（２）よりも水位が下になるように予め排水しておく。
Ｂ．原子炉容器（１）内に有底円筒状の作業架台（３）を、ピン（３ｂ）により回り止めを施して載置する。
Ｃ．次に、作業架台（３）の開口部（３ａ）に、ノズル遮蔽体（４）および部分遮蔽体（５）よりなる遮蔽体を挿入設置し、それらを図３に示すフランジ（３ｃ）により、作業架台（３）にボルト止めする。また、図１に示すように、出、入口管（２ａ）内に、管台遮へい４８とシールプラグ４９とよりなる止め栓を設置し、放射線遮へいおよびシールを図る。
Ｄ．次に、管台（２）内に切削装置（６）を設置据付固定して、切削装置（６）により切削を行い、全体としてリング状の溝（ア）を形成する（図２の（ａ）参照方）。切削範囲は図２の（ａ）に示すように、溶接部（ｍ）を跨ぐ溝幅の切削溝であって、管台（２）の溶接部（ｍ）の内面全周を切削する。切削形成後、切削装置（６）を取外す。
Ｅ．次に、自動溶接装置（図示せず）により溝（ア）に所定合金種の溶接肉盛（イ）を、行う。溶接完了後、自動溶接装置を取外す。
Ｆ．次に、再度、管台（２）内に切削装置（６）を設置据付固定して、切削装置（６）により仕上げ切削を行い、溶接部（ｍ）の表面を平らにする（図２の（ｃ）参照方）。内面仕上げ後、切削装置（６）、作業架台（３）などを取外す。
以上により、溶接部（ｍ）の切削補修が完了する。なお、上記Ｄ手順での、管台（２）内への切削装置（６）の挿入は、クレーン吊した切削装置（６）を作業者が押治具などを用いて行うが、その際に、作業架台（３）の床上に管台（２）の高さレベルに合わせた案内台を設けておくことで、管台（２）の挿入作業を容易ならしめている。
また、加圧水型原子炉の原子炉容器（１）の管台（２）は、４ないし８個の偶数個、設けられており、２個またはそれ以上の管台（２）の切削補修を同時に施工すれば、工期短縮が図れる。
【０００８】
上記切削装置（６）による切削手順を図２、３に基づき簡単に説明する。図２、３中において、Ｈ軸方向に回転させ、第１番目のカッタ（９）を管台（２）内面側にセットする。Ｔ軸方向に回転させながら、Ｋ軸とＸ軸方向に連動させて切削する。同様にして、Ｈ軸方向に回転させカッタ（９）を交換しながら第２〜第４番目の各カッタ（９）で規定幅（溶接部を中心としてその両側部分の適宜幅寸法、例えば１００ｍｍ前後）の切削溝（ア）を切削する。
また、上記ノズル遮蔽体（４）は、その先端にゴムを設けており、主に遮蔽機能を果たすものである。上記部分遮蔽体（５）は開口部（３ａ）と管台（２）間の隙間を埋めること、遮蔽機能、および、各区画を平らにして切削装置（６）の案内を果たすものである。要するに、ノズル遮蔽体（４）および部分遮蔽体（５）よりなる遮蔽体は、空間隙間を塞ぐおよび遮蔽機能を果たすものでよく、両者を一体化してもよい。また、図１などに示す原子力容器１はその上蓋を取外した状態のものである。
【０００９】
本発明の実施例装置を、図３ないし図１０に基づき説明する。
図３は切削装置（６）を管台（２）内に挿入した状態での斜視図である。この切削装置（６）は、切削を行う複数のカッタ（９）を収納すると共にカッタ（９）を囲んで管台（２）の内周面に沿う形状の切粉回収口（７ａ）を備え、切粉を回収するヘッド部（７）と、ヘッド部（７）を管台（２）の内周に沿って軸回動する駆動部を有する胴部（８）と、ヘッド部（７）内の切粉を吸引する切粉回収用ライン（８ａ）とを具えている。
図４は、本実施例に係る出、入口管台内面切削装置（以下切削装置と称する）を用いた作業の概要を示す概念図であり、図４に於いて、原子炉容器（１）の外周方向には内側から貫通する中空円筒状の管台（２）が接続されている。原子炉容器（１）の内部空間に据え付けられた作業架台（３）には、管台（２）の位置に合わせて開口部（３ａ）（図３参照方）が設けられている。
該開口部（３ａ）には中空貫通部を有する円筒状のノズル遮蔽体（４）が挿入されており、さらに該ノズル遮蔽体の内周には中空貫通部を有する部分遮蔽体（５）が挿入されており、当該中空貫通部の内周に挿通して切削装置（６）が、管台（２）の所期の切削位置に適切に位置決めされている。
図５に於いて、切削装置（６）は、切削を行うカッタ（９）（以下、切削刃物と称す）を収納したヘッド部（７）並びに駆動部を収納する胴部（８）で構成されており、該切削装置の外径は、部分遮蔽体（５）の内径より小さく構成されている。
本実施例の場合、ヘッド部（７）には並びに変位検出器用センサ（１０）、渦電流探傷器用センサ（図示していない）を具備し、胴部（８）外周にはクランプ部（１２）並びに車輪（１３）を具備している。胴部（８）は、ケーシング外筒（１４）と、ブシュ（１５）、ブシュ（１６）を介して該ケーシング外筒の内周に対して自転可能な状態で支持された旋回ケーシング（１７）で構成されており、該旋回ケーシング後端に締結された平歯車Ａ（１８）は、ケーシング外筒（１４）内に配置された旋回用モータ（１９）の軸上減速機Ａ（２０）の先端部の平歯車Ｂ（２１）と噛み合っている。
【００１０】
ケーシング外筒（１４）の後端部には後部板（５１）が締結され、該後部板の外縁の一部は、ケーシング外筒（１４）の外形よりも更に外方に突出して、該突出部分には部分遮蔽体（５）に形成された雌ねじ穴に合わせた位置に固定ボルト（５２）を挿通し得る貫通穴が形成されている。旋回ケーシング（１７）の先端部には、ヘッド部（７）が連結されている。該旋回ケーシングの内部には、切粉回収管（５３）が配置されており、該切粉回収管の後端部は、切粉回収バキュームホース（図示していない）と接続可能な形状に形成されている。
図５、６に於いて、切削を行うヘッド部（７）には、切削刃物（９）の他に変位検出器用センサ（１０）及び、渦電流探傷器用センサ（１１）を具備し、該変位検出器用センサにはシリンダＡ（２２）、該渦電流探傷器用センサにはシリンダＢ（２３）が連結されている。切削刃物（９）の切削作業部位に向けて、切削モニタリング用カメラ（５４）及び、集音マイク（５５）を具備しており、切削油供給ユニット（５６）を具備している。
又、切粉回収ノズル（５７）の一端は、切削刃物（９）を内蔵する空間（５８）に対して開口しており、他の一端は伸縮自在な蛇腹ホース（図示していない）を介して、切粉回収管（図示していない）に接続されている。
【００１１】
図７及び図８に於いて、４軸のタレット方式で主軸（２４）に連結された４つの切削刃物（９）は歯幅方向に若干の重複部を持つよう取り付け位置を配置している。主軸（２４）を回転させることにより、個々の切削刃物（９）が、図３の切粉回収口（７ａ）から、管台（２）側に臨み切削が行われる。この４つの切削刃物（９）により、図２の（ａ）に示すリング状の溝（ア）が切削形成される。
主軸（２４）の後端部には軸上減速機Ｂ（２５）を介して切削刃物（９）を回転させる主軸回転モータ（２６）が接続され、該主軸の先端部の歯車Ｃ（２７）は、歯車Ｄ（２８）を介し、４つの歯車Ｅ（２９）と噛み合っている。該歯車Ｅは、其々、長さの異なる４本のスピンドル軸（３０）、（３１）、（３２）、（３３）の一端に連結されており、該スピンドル軸の他の一端には、切削刃物（９）が連結されている。
４本のスピンドル軸を装着したタレット（３４）には、主軸（２４）が貫通できる構造を有した平歯車Ｆ（３５）が連結されており該平歯車Ｆと噛み合った平歯車Ｇ（３６）には軸上減速機Ｃ（３７）を介してタレット（３４）を回転させる刃物交換用モータ（３８）が接続されている。
図９に於いて、切削を行うヘッド部（７）には、軸方向送りボールねじ（３９）の軸端に装着された平歯車Ｈ（４０）と噛み合う平歯車Ｉ（４１）を回転させる軸方向送りモータ（４２）が、軸上減速機Ｄ（４３）を介して配置され、径方向送りボールねじ（４４）の軸端に装着されたマイタギヤ（４５）を介して軸上減速機Ｅ（４６）と径方向送りモータ（４７）が配置されている。
尚、マイタギヤ（４５）と軸上減速機Ｅ（４６）の間には平歯車Ｊ（４８）が装着され、該平歯車Ｊと噛み合うもう一方の平歯車Ｋ（４９）の回転軸後方には六角穴を形成されたスパナ軸（５０）が装着されている。
【００１２】
本実施例装置は、前述のように構成されているため、原子炉容器（１）に設置された作業架台（３）内部よりアクセスできるように部分遮蔽体（５）の内径よりも、最大外形を小さく構成した切削装置（６）は、車輪（１３）により、装置全体を管台（２）の所定の位置まで容易に挿入・移動することができる。
渦電流探傷器用センサ（１１）によって切削位置を精確に決定でき、変位検出器用センサ（１０）によって内面形状を記録し、このデータを基に管台内面を全周に亘って、一定の深さで切削できる。
切削時の切削反力は、ケーシング外筒（１４）に設けられたクランプ部（１２）で受けることができ、更に後部板（５１）と部分遮蔽体（５）を固定ボルト（５２）により締結、固定することにより、切削装置の全体を管台（２）に対し堅固に保持できる。
切削刃物（９）を含むヘッド部（７）は、ブシュ（１５）、（１６）を介してケーシング外筒（１４）に対して自転できる構造を具備した旋回ケーシング（１７）に連結されているため、旋回用モータ（１９）を駆動することにより管台内面を自動で全周施工することができる。
旋回速度は、軸上減速機Ａ（２０）及び、平歯車Ａ（１８）と平歯車Ｂ（２１）の歯数比により至適状態に設定している。
【００１３】
軸方向に若干の重複部を持って、オフセットした４つの切削刃物（９）をタレット（３４）で交換できる構造を有しているため、管台（２）内部に装置を位置決めしたまま、小さい切削負荷で広い幅の切削ができる。
切削油供給ユニット（５６）により、切削部位に切削油を噴射することにより、滑らかな仕上げ面を得ることができる。
切粉回収ノズル（５７）の一端を、切削刃物（９）を内蔵する空間（５８）に対して開口し、他の一端を伸縮自在な蛇腹ホースを介して、切粉回収管（５３）に接続しているため、該切粉回収管に、バキュームホースを接続して切削しながら同時に切粉の回収ができる。
切削刃物（９）の切削作業部位に向けて、切削モニタリング用カメラ（５４）及び、集音マイク（５５）を具備しているため、作業状況を監視できる上に、作業時の異音を把握することにより、不具合の事前把握を容易にしている。
以上述べた本実施例方法および装置は、従来には無かったＰＷＲ型原子力発電所の原子炉容器の出、入口管台内面を切削する方法および装置に関する提案であり、具体的には、管台内部に挿入でき、位置決め機構を具備し、管台内面の全周を一定の深さで切削できる機構を具備した原子炉容器管台の出、入口管台内面切削装置である。
【００１４】
本発明は上記実施例に限定されるものではなく必要に応じ、適宜設計変更し得るものである。また、上記実施例における各構成要素には、当業者が容易に想定できるものや、実質的に同一のものが含まれる。
【図面の簡単な説明】
【００１５】
【図１】本実施例に係る原子力容器に架台を設置した状態を示す断面図である。
【図２】（ａ）は図１のＡ部の内面切削時の拡大説明図、（ｂ）はクラッディング時の拡大説明図、（ｃ）は内面仕上げ時の拡大説明図である。
【図３】本実施例の管台内に切削装置を挿入した状態を示す斜視図である。
【図４】本実施例の管台内に切削装置を設置した状態の作業概念図である。
【図５】本実施例の切削装置の断面図である。
【図６】図５のＰ−Ｐ矢視図である。
【図７】図６のＱ−Ｑ矢視図である。
【図８】図７のＲ−Ｒ矢視図である。
【図９】図６のＳ−Ｓ矢視図である。
【図１０】図６のＴ−Ｔ矢視図である。
【符号の説明】
【００１６】
１    原子炉容器
２    管台
２ａ  出、入口管
３    作業架台（架台）
３ａ  開口部
４    ノズル遮蔽体
５    部分遮蔽体
６    切削装置
７    ヘッド部
８    胴部
８ａ  切粉回収用ライン
９    カッタ（切削刃物）
ｍ    溶接部
【図１】
2006349596.tif 000003
【図２】
2006349596.tif 000004
【図３】
2006349596.tif 000005
【図４】
2006349596.tif 000006
【図５】
2006349596.tif 000007
【図６】
2006349596.tif 000008
【図７】
2006349596.tif 000009
【図８】
2006349596.tif 000010
【図９】
2006349596.tif 000011
【図１０】
2006349596.tif 000012